(57)【要約】【課題】実装面積を大きくすることなく、電力削減が可能な携帯電話機用スイッチドキャパシタ型ＬＥＤ駆動電源装置を提供する。【解決手段】本発明は、携帯電話機の操作が行なわれているか否かを検出する信号入力検出回路１００と、上記操作が行なわれていない時間を計測すると共に、上記操作が行なわれているときには時間の計測を行なわない時間計測回路１０１と、上記時間計測回路１０１により所定時間経過したことが計測されると、装置本体をスリープ状態にするスリープ回路１０２とを備えている。【選択図】　図１
2004048255.tif 000002
【特許請求の範囲】
【請求項１】
入力直流電圧を昇圧し、携帯電話機における液晶のバックライトとして用いられるＬＥＤを駆動するスイッチドキャパシタ型ＬＥＤ駆動電源装置であって、
携帯電話機の操作が行なわれているか否かを検出する信号入力検出手段と、
上記操作が行なわれていない時間を計測すると共に、上記操作が行なわれているときには時間の計測を行なわない時間計測手段と、
上記時間計測手段により所定時間経過したことが計測されると、装置本体をスリープ状態にするスリープ手段とを備えたことを特徴とする携帯電話機用スイッチドキャパシタ型ＬＥＤ駆動電源装置。
【請求項２】
入力直流電圧を昇圧し、携帯電話機における液晶のバックライトとして用いられるＬＥＤを駆動するスイッチドキャパシタ型ＬＥＤ駆動電源装置であって、
携帯電話機の操作が行なわれているか否かを検出する信号入力検出手段と、
上記操作が行なわれていない時間を計測すると共に、上記操作が行なわれているときには時間の計測を行なわない時間計測手段と、
上記時間計測手段により所定時間経過したことが計測されると、上記ＬＥＤをオフ状態にするスイッチ手段とを備えたことを特徴とする携帯電話機用スイッチドキャパシタ型ＬＥＤ駆動電源装置。
【請求項３】
入力直流電圧を昇圧し、携帯電話機における液晶のバックライトとして用いられる複数のＬＥＤを駆動するスイッチドキャパシタ型ＬＥＤ駆動電源装置であって、
携帯電話機の操作が行なわれているか否かを検出する信号入力検出手段と、
上記操作が行なわれていない時間を計測すると共に、上記操作が行なわれているときには時間の計測を行なわない時間計測手段と、
上記ＬＥＤごとに設けられ、これらのＬＥＤの断接をそれぞれ行なうスイッチ手段と、
上記時間計測手段により所定時間経過したことが計測されると、上記スイッチ手段の断接を制御し、上記複数のＬＥＤを段階的にオフさせるスイッチ制御手段とを備えたことを特徴とする携帯電話機用スイッチドキャパシタ型ＬＥＤ駆動電源装置。
【請求項４】
入力直流電圧を昇圧し、携帯電話機における液晶のバックライトとして用いられるＬＥＤを定電流にて駆動する携帯電話機用スイッチドキャパシタ型ＬＥＤ駆動電源装置であって、
携帯電話機の操作が行なわれているか否かを検出する信号入力検出手段と、
上記操作が行なわれていない時間を計測すると共に、上記操作が行なわれているときには時間の計測を行なわない時間計測手段と、
上記時間計測手段により所定時間経過したことが計測されると、上記ＬＥＤに供給する定電流を減少させる定電流調節手段とを備えたことを特徴とする携帯電話機用スイッチドキャパシタ型ＬＥＤ駆動電源装置。
【請求項５】
基準電圧に応じて変化する定電流を生成し、上記ＬＥＤに供給する定電流として出力する定電流生成手段を更に備え、上記定電流調節手段は上記基準電圧を調整することによって上記定電流を減少させることを特徴とする請求項４に記載の携帯電話機用スイッチドキャパシタ型ＬＥＤ駆動電源装置。
【請求項６】
所定電圧を複数の電圧に分圧する分圧回路を更に備え、上記定電流調節手段は上記複数の電圧から選択したものを上記基準電圧とすることを特徴とする請求項５に記載の携帯電話機用スイッチドキャパシタ型ＬＥＤ駆動電源装置。
【請求項７】
上記時間計測手段により所定時間経過したことが計測されると、装置本体をスリープ状態にするスリープ手段を更に備えたことを特徴とする請求項４、５、又は６に記載の携帯電話機用スイッチドキャパシタ型ＬＥＤ駆動電源装置。
【請求項８】
所定周波数のパルスを生成する発振手段を更に備え、
上記昇圧は上記パルスに基づくスイッチング動作にて行なわれると共に、
上記時間計測手段は、上記所定周波数のパルスをカウントするパルスカウンタ手段からなることを特徴とする請求項１〜７のいずれか１項に記載の携帯電話機用スイッチドキャパシタ型ＬＥＤ駆動電源装置。
【請求項９】
上記時間計測手段は、
定電流源と、
上記定電流源により充電される電荷保持手段と、
比較基準電圧と上記電荷保持手段の両端の電圧との大小関係を比較し、比較結果を上記時間計測手段の出力信号として出力する比較手段と、
上記操作が行なわれているときに、上記上記電荷保持手段の電荷を放電する放電手段とからなることを特徴とする請求項１〜７のいずれか１項に記載の携帯電話機用スイッチドキャパシタ型ＬＥＤ駆動電源装置。
【請求項１０】
上記スリープ手段によってスリープ状態になると、携帯電話機の操作が再度行なわれるまで上記スリープ手段にスリープ状態を維持させるスリープ状態維持手段を更に備えたことを特徴とする請求項１又は７に記載の携帯電話機用スイッチドキャパシタ型ＬＥＤ駆動電源装置。
【発明の詳細な説明】
【０００１】
【発明の属する技術分野】
本発明は、実装面積を大きくすることなく、電力削減可能な携帯電話機用スイッチドキャパシタ型ＬＥＤ駆動電源装置に関するものである。
【０００２】
【従来の技術】
従来技術について、入力電圧の２倍の出力電圧を得るスイッチドキャパシタ型安定化電源装置を例に挙げ、図１０及び図１１を参照して以下に説明する。
【０００３】
図１０は従来技術に係るスイッチドキャパシタ型ＬＥＤ駆動電源装置の例（定電圧出力スイッチドキャパシタ）を示すものであり、図１１は入力電圧波形、出力電圧波形、コンデンサＣ１の＋側波形、及びスイッチング動作のタイムチャートを示している。
【０００４】
スイッチドキャパシタ部の動作について、図１０を参照して説明する。入力電圧Ｖｉｎの入力後、まずスイッチＳ１・Ｓ３がオンすると共に、コンデンサＣ１がＶｉｎの電圧に充電される。次にスイッチＳ１・Ｓ３がオフすると共に、スイッチＳ２・Ｓ４がオンする。
【０００５】
コンデンサＣ１の−側（図１０中、Ｃ−で表記）がＶｉｎに嵩上げされるため、図１１に示すように２倍のＶｉｎがコンデンサＣ３へ供給され、出力電圧Ｖｏ（コンデンサＣ３の両端の電圧）は増加する。その後、再びスイッチＳ１・Ｓ３がオンすると共に、スイッチＳ２・Ｓ４がオフする。その間、ＬＥＤへ出力電流が流れるため、コンデンサＣ３の電荷の一部が放電され、出力電圧Ｖｏが低下する。
【０００６】
定電圧出力スイッチドキャパシタの場合、この動作を繰り返し、出力電圧ＶｏがコンパレータＣＯＭ１のスレッシュホールド（閾値）まで増加する。出力電圧Ｖｏは、抵抗Ｒ１及びＲ２からなる分圧回路にて検出され、基準電圧Ｖｒｅｆまでに達すると、コンパレータＣＯＭ１からコントロール部ＣＴＬへ信号を送り、スイッチドキャパシタ動作を停止させる。
【０００７】
コンパレータＣＯＭ１はヒステリシス機能付きコンパレータを用いているので、スイッチドキャパシタ部の動作が停止し、出力電圧Ｖｏが低下すると、再びスイッチドキャパシタの動作が開始する。その動作が繰り返されることによって、出力電圧Ｖｏが定電圧化される。
【０００８】
ここで、定電流出力スイッチドキャパシタの場合について図１２を参照して以下に説明する。
【０００９】
昇圧動作は、上記の定電圧出力スイッチドキャパシタと同様であるので、省略する。ノードａ１の電圧と基準電圧Ｖｒｅｆとが等しくなるようにエラーアンプＡＭＰ１でフィードバックをかけ、定電流出力が可能となる。
【００１０】
すなわち、トランジスタＴｒ１から抵抗Ｒｓｅｔに流れる定電流値は、オームの法則により（Ｖｒｅｆ／Ｒｓｅｔ）で設定できる。１：ｎ比のカレントミラーＣＭ１により、抵抗Ｒｓｅｔに流れる電流のｎ倍の定電流を端子３から負荷（ＬＥＤ）に流すことが可能となる。
【００１１】
【発明が解決しようとする課題】
しかしながら、上記従来技術をたとえば携帯電話機に使用すると、次のような問題点を招来する。
【００１２】
すなわち、携帯電話機では、電池の消耗を防ぐため、ボタン操作（入力操作）をしない場合、液晶のバックライトに使われているＬＥＤを消灯する必要がある。
【００１３】
従来は、ＬＥＤを駆動するための電源ＩＣ（スイッチドキャパシタ型ＬＥＤ駆動電源装置）以外からＬＥＤを消灯する信号を入力し、上記ＬＥＤを消灯してきた。そのため、ＬＥＤ消灯用の手段を外部に別途設計する必要があり、実装面積が大きくなるという問題を招来する。
【００１４】
本発明は、上記従来の問題点に鑑みなされたものであって、その目的は、実装面積を大きくすることなく、電力削減が可能な携帯電話機用スイッチドキャパシタ型ＬＥＤ駆動電源装置を提供することにある。
【００１５】
【課題を解決するための手段】
本発明の携帯電話機用スイッチドキャパシタ型ＬＥＤ駆動電源装置は、上記課題を解決するために、入力直流電圧を昇圧し、携帯電話機における液晶のバックライトとして用いられるＬＥＤを駆動するスイッチドキャパシタ型ＬＥＤ駆動電源装置において、以下の措置を講じたことを特徴としている。
【００１６】
すなわち、上記スイッチドキャパシタ型ＬＥＤ駆動電源装置は、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、装置本体をスリープ状態にするスリープ手段とを備えている。
【００１７】
上記の発明によれば、入力された直流電圧は昇圧され、昇圧された電圧によって携帯電話機における液晶のバックライトとして用いられるＬＥＤが駆動される。これにより、ＬＥＤが点灯され、液晶画面が視認可能状態になり、液晶画面を見ながら、種々の入力操作が携帯電話機に対して行なわれる。
【００１８】
携帯電話機では、電池の消耗を防ぐため、ボタン操作（入力操作）をしない場合、液晶のバックライトに使われているＬＥＤが消灯される。従来は、スイッチドキャパシタ型ＬＥＤ駆動電源装置外からの信号に基づいてＬＥＤの消灯が行なわれていた。そのため、ＬＥＤ消灯用の手段を上記駆動電源装置外に別途設計する必要があり、実装面積が大きくなるという問題を招来していた。
【００１９】
そこで、上記スイッチドキャパシタ型ＬＥＤ駆動電源装置においては、その内部にＬＥＤ消灯用の手段を設けた。ＬＥＤ消灯用の手段は、信号入力検出手段と、時間計測手段と、スリープ手段とからなる。
【００２０】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、装置本体はスリープ手段によってスリープ状態にされる。なお、時間計測手段は、上記操作が行なわれているときには時間の計測を行なわない。
【００２１】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合、駆動電源装置がスリープ状態になり、動作時消費電流が抑えられるので、携帯電話機における電池の消耗を確実に削減できる。
【００２２】
本発明の他の携帯電話機用スイッチドキャパシタ型ＬＥＤ駆動電源装置は、上記課題を解決するために、入力直流電圧を昇圧し、携帯電話機における液晶のバックライトとして用いられるＬＥＤを駆動するスイッチドキャパシタ型ＬＥＤ駆動電源装置において、次の措置を講じたことを特徴としている。
【００２３】
すなわち、上記の携帯電話機用スイッチドキャパシタ型ＬＥＤ駆動電源装置は、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、上記ＬＥＤをオフ状態にするスイッチ手段とを備えている。
【００２４】
上記の発明によれば、入力された直流電圧は昇圧され、昇圧された電圧によって携帯電話機における液晶のバックライトとして用いられるＬＥＤが駆動される。これにより、ＬＥＤが点灯され、液晶画面が視認可能状態になり、液晶画面を見ながら、種々の入力操作が携帯電話機に対して行なわれる。
【００２５】
携帯電話機では、電池の消耗を防ぐため、ボタン操作（入力操作）をしない場合、液晶のバックライトに使われているＬＥＤが消灯される。従来は、スイッチドキャパシタ型ＬＥＤ駆動電源装置外からの信号に基づいてＬＥＤの消灯が行なわれていた。そのため、ＬＥＤ消灯用の手段を上記駆動電源装置外に別途設計する必要があり、実装面積が大きくなるという問題を招来していた。
【００２６】
そこで、上記スイッチドキャパシタ型ＬＥＤ駆動電源装置においては、その内部にＬＥＤ消灯用の手段を設けた。ＬＥＤ消灯用の手段は、信号入力検出手段と、時間計測手段と、スイッチ手段とからなる。
【００２７】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記ＬＥＤがスイッチ手段によってオフ状態にされる。これにより、上記ＬＥＤでの消費電流を確実にゼロにすることができる。なお、時間計測手段は、上記操作が行なわれているときには時間の計測を行なわない。
【００２８】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合にＬＥＤがスイッチ手段によって確実に消灯され、動作時消費電流が抑えられるので、携帯電話機における電池の消耗を確実に削減できる。
【００２９】
本発明の更に他の携帯電話機用スイッチドキャパシタ型ＬＥＤ駆動電源装置は、上記課題を解決するために、入力直流電圧を昇圧し、携帯電話機における液晶のバックライトとして用いられる複数のＬＥＤを駆動するスイッチドキャパシタ型ＬＥＤ駆動電源装置において、次の措置を講じたことを特徴としている。
【００３０】
すなわち、上記携帯電話機用スイッチドキャパシタ型ＬＥＤ駆動電源装置は、携帯電話機の操作が行なわれているか否かを検出する信号入力検出手段と、上記操作が行なわれていない時間を計測すると共に、上記操作が行なわれているときには時間の計測を行なわない時間計測手段と、上記ＬＥＤごとに設けられ、これらのＬＥＤの断接をそれぞれ行なうスイッチ手段と、上記時間計測手段により所定時間経過したことが計測されると、上記スイッチ手段の断接を制御し、上記複数のＬＥＤを段階的にオフさせるスイッチ制御手段とを備えている。
【００３１】
上記の発明によれば、入力された直流電圧は昇圧され、昇圧された電圧によって携帯電話機における液晶のバックライトとして用いられる複数のＬＥＤがそれぞれ駆動される。これにより、複数のＬＥＤが点灯され、液晶画面が視認可能状態になり、液晶画面を見ながら、種々の入力操作が携帯電話機に対して行なわれる。
【００３２】
携帯電話機では、電池の消耗を防ぐため、ボタン操作（入力操作）をしない場合、液晶のバックライトに使われているＬＥＤが消灯される。従来は、スイッチドキャパシタ型ＬＥＤ駆動電源装置外からの信号に基づいてＬＥＤの消灯が行なわれていた。そのため、ＬＥＤ消灯用の手段を上記駆動電源装置外に別途設計する必要があり、実装面積が大きくなるという問題を招来していた。
【００３３】
そこで、上記スイッチドキャパシタ型ＬＥＤ駆動電源装置においては、その内部にＬＥＤ消灯用の手段を設けた。ＬＥＤ消灯用の手段は、信号入力検出手段、時間計測手段、スイッチ手段、及びスイッチ制御手段からなる。
【００３４】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記スイッチ手段の断接はスイッチ制御手段によって制御される。その結果、上記複数のＬＥＤが段階的にオフされる。なお、時間計測手段は、上記操作が行なわれているときには時間の計測を行なわない。
【００３５】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合にＬＥＤがスイッチ手段によって確実に消灯され、動作時消費電流が抑えられるので、携帯電話機における電池の消耗を確実に削減できる。
【００３６】
加えて、複数のＬＥＤが段階的にオフされることによって、上記携帯電話機において、徐々に液晶画面を暗くすることや、背面液晶等の異なる部位に使用される液晶を順次オフさせることができる。
【００３７】
本発明の更に他の携帯電話機用スイッチドキャパシタ型ＬＥＤ駆動電源装置は、上記課題を解決するために、入力直流電圧を昇圧し、携帯電話機における液晶のバックライトとして用いられるＬＥＤを定電流にて駆動する携帯電話機用スイッチドキャパシタ型ＬＥＤ駆動電源装置において次の措置を講じたことを特徴としている。
【００３８】
すなわち、携帯電話機用スイッチドキャパシタ型ＬＥＤ駆動電源装置は、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、上記ＬＥＤに供給する定電流を減少させる定電流調節手段とを備えている。
【００３９】
上記の発明によれば、入力された直流電圧は昇圧され、昇圧された電圧に基づいて、携帯電話機における液晶のバックライトとして用いられるＬＥＤが定電流にて駆動される。これにより、ＬＥＤが点灯され、液晶画面が視認可能状態になり、液晶画面を見ながら、種々の入力操作が携帯電話機に対して行なわれる。
【００４０】
携帯電話機では、電池の消耗を防ぐため、ボタン操作（入力操作）をしない場合、液晶のバックライトに使われているＬＥＤが消灯される。従来は、スイッチドキャパシタ型ＬＥＤ駆動電源装置外からの信号に基づいてＬＥＤの消灯が行なわれていた。そのため、ＬＥＤ消灯用の手段を上記駆動電源装置外に別途設計する必要があり、実装面積が大きくなるという問題を招来していた。
【００４１】
そこで、上記スイッチドキャパシタ型ＬＥＤ駆動電源装置においては、その内部にＬＥＤ消灯用の手段を設けた。ＬＥＤ消灯用の手段は、信号入力検出手段、時間計測手段、及び定電流調節手段からなる。
【００４２】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記ＬＥＤに供給する定電流が定電流調節手段によって減少される。なお、時間計測手段は、上記操作が行なわれているときには時間の計測を行なわない。
【００４３】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、ＬＥＤに供給する定電流が減少され、動作時消費電流が抑えられるので、携帯電話機における電池の消耗を確実に削減できる。
【００４４】
上記の携帯電話機用スイッチドキャパシタ型ＬＥＤ駆動電源装置において、基準電圧に応じて変化する定電流を生成し、上記ＬＥＤに供給する定電流として出力する定電流生成手段を更に備え、上記定電流調節手段は上記基準電圧を調整することによって上記定電流を減少させることが好ましい。この場合、基準電圧を調整することによって、段階的に、定電流の量を減少させることが容易に行なえる。
【００４５】
上記の携帯電話機用スイッチドキャパシタ型ＬＥＤ駆動電源装置において、所定電圧を複数の電圧に分圧する分圧回路を更に備え、上記定電流調節手段は上記複数の電圧から選択したものを上記基準電圧とすることが好ましい。この場合、分圧回路を設けるという簡単な構成で上記駆動電源装置を実現できる。
【００４６】
上記の携帯電話機用スイッチドキャパシタ型ＬＥＤ駆動電源装置において、上記時間計測手段により所定時間経過したことが計測されると、装置本体をスリープ状態にするスリープ手段を更に備えていることが好ましい。この場合、動作時の消費電流を抑えることができると共に、電池の消耗を確実に削減できる。
【００４７】
上記の携帯電話機用スイッチドキャパシタ型ＬＥＤ駆動電源装置のいずれにおいても、所定周波数のパルスを生成する発振手段を更に備え、上記昇圧は上記パルスに基づくスイッチング動作にて行なわれると共に、上記時間計測手段は、上記所定周波数のパルスをカウントするパルスカウンタ手段からなることが好ましい。この場合、発振手段によって生成されたパルスが、昇圧の際のスイッチング動作と、パルスカウント手段によるカウント動作との双方に共用されるので、その分、実装面積を小さくできる。
【００４８】
また、上記時間計測手段は、定電流源と、上記定電流源により充電される電荷保持手段と、比較基準電圧と上記電荷保持手段の両端の電圧との大小関係を比較し、比較結果を上記時間計測手段の出力信号として出力する比較手段と、上記操作が行なわれているときに、上記電荷保持手段の電荷を放電する放電手段とからなることが好ましい。
【００４９】
この場合、電荷保持手段の両端の電圧は定電流源による充電に伴って大きくなる。この電圧と比較基準電圧とが比較手段によって比較されることによって、比較基準電圧に対応する所定時間経過したか否かが判断できる。
【００５０】
上記電荷保持手段の充電は、放電手段による放電によってリセットされるようになっている。放電手段による放電は、携帯電話機に対して操作が行なわれているときに行なわれる。
【００５１】
上記所定時間は、上記電荷保持手段の充電時間を変えることにより容易に設定可能である。たとえば、電荷保持手段をコンデンサにより実現した場合、コンデンサを外付けにし、その容量を変えることによって、上記所定時間を容易に可変できる。
【００５２】
前記の携帯電話機用スイッチドキャパシタ型ＬＥＤ駆動電源装置において、スリープ手段によってスリープ状態になると、携帯電話機の操作が再度行なわれるまで上記スリープ手段にスリープ状態を維持させるスリープ状態維持手段を更に備えていることが好ましい。この場合、一度スリープ状態になると、携帯電話機の操作が再度行なわれるまで上記スリープ手段にスリープ状態を維持させるので、上記操作が再度行なわれるまでの間は、電源装置や液晶がオンになることを確実に回避できる。
【００５３】
【発明の実施の形態】
本発明の実施の一形態について図１に基づいて説明すれば、以下のとおりである。上記本実施形態においては、出力側に入力側の２倍の電圧を得るスイッチドキャパシタ型ＬＥＤ駆動電源装置を例に挙げて説明する。
【００５４】
図１は、携帯電話機に好適なスイッチドキャパシタ型ＬＥＤ駆動電源装置の構成例を示すブロック図である。このスイッチドキャパシタ型ＬＥＤ駆動電源装置は、信号入力検出回路１００と、時間計測回路１０１と、スリープ回路１０２と、信号入力検出端子７とが更に設けられている点において、図１０に示した従来の定電圧出力スイッチドキャパシタ型ＬＥＤ駆動電源装置と異なっている。なお、図１においては、図１０と同じ機能を有する部材には同じ参照符号を付記する。
【００５５】
スイッチドキャパシタ部の動作について、図１を参照して説明する。入力電圧Ｖｉｎが端子２を介して入力される。このとき、コントロール部ＣＴＬによってスイッチＳ１・Ｓ３は、オンされている。これにより、端子６が正極（＋）側（図中Ｃ＋で表記）になるように、端子５−６間に接続されたコンデンサＣ１が入力電圧Ｖｉｎによって充電される。
【００５６】
その後、コントロール部ＣＴＬによって、スイッチＳ１・Ｓ３がオフされると共に、スイッチＳ２・Ｓ４がオンされる。コンデンサＣ２の両端の電圧である入力電圧ＶｉｎとコンデンサＣ３の両端の電圧とが直列に接続された状態となる。これにより、コンデンサＣ１の−側（端子５：図中Ｃ−で表記）がＶｉｎに嵩上げされるため、入力電圧Ｖｉｎの２倍の電圧がコンデンサＣ３の両端に供給され、出力電圧Ｖｏは増加する。
【００５７】
その後、再びスイッチＳ１・Ｓ３がオンされると共に、スイッチＳ２・Ｓ４がオフされる。その間、ＬＥＤ（負荷）へ出力電流が流れるため、コンデンサＣ３の電荷の一部が放電され、出力電圧Ｖｏが低下する。
【００５８】
定電圧出力スイッチドキャパシタの場合、この動作を繰り返し、出力電圧ＶｏがコンパレータＣＯＭ１のスレッシュホールド（閾値）まで増加する。出力電圧Ｖｏは、抵抗Ｒ１及びＲ２からなる分圧回路にて検出され、接続点の電圧（端子３−４間の電圧）が基準電圧Ｖｒｅｆまで達すると、コンパレータＣＯＭ１からコントロール部ＣＴＬへ信号が送られ、スイッチドキャパシタ動作が停止される。
【００５９】
コンパレータＣＯＭ１はヒステリシス機能付きコンパレータを用いているので、上記分圧回路における接続点の電圧がスレッシュホールドより小さくなってもヒステリシス幅内であれば、スイッチドキャパシタ部の動作が停止状態を維持する。出力電圧Ｖｏが更に低下し、上記接続点の電圧が上記ヒステリシス幅を超えて小さくなると、再びスイッチドキャパシタの動作が開始する。このような動作が繰り返されることによって、出力電圧Ｖｏが定電圧化される。
【００６０】
ところで、上記の信号入力検出回路１００は、端子７を介して入力される信号を検出した場合（携帯電話機において押しボタン操作が行なわれていない場合）、上記の時間計測回路１０１に信号を送る。この信号を受けると、時間計測回路１０１は、時間の計測を開始する。時間計測の開始後、所定時間経過しても更なる入力信号を検出しなかった場合、時間計測回路１０１は、スリープ回路１０２に信号を送る。この信号を受けると、スリープ回路１０２はスイッチドキャパシタ型ＬＥＤ駆動電源装置をスリープ状態にさせる。
【００６１】
以上のように、スイッチドキャパシタ型ＬＥＤ駆動電源装置内に上記の信号入力検出回路１００、時間計測回路１０１、及びスリープ回路１０２を設けることにより、ユーザの設計負担を軽減すると共に、外付け部品点数や実装面積を削減し、実装工数等におけるコスト低減が可能となる。しかも、押しボタン操作が所定時間行なわれない場合、駆動電源装置がスリープ状態になり、動作時消費電流が抑えられるので、携帯電話機における電池の消耗を確実に削減できる。
【００６２】
ここで、本実施の形態に係る他のスイッチドキャパシタ型ＬＥＤ駆動電源装置の構成例について図２を参照して以下に説明する。なお、図１と同じ機能を有する部材については同じ参照符号を付記し、詳細な説明を省略する。
【００６３】
ここで示すスイッチドキャパシタ型ＬＥＤ駆動電源装置は、図２に示すように、上記スリープ回路１０２の代わりに、スイッチＳＷＬＥＤが設けられ、ＬＥＤがスイッチＳＷＬＥＤによって消灯される点で図１の構成と異なっている。
【００６４】
図２に示す構成においては、ＬＥＤは、端子８を介して、上記スイッチＳＷＬＥＤの一端に接続されている。上記スイッチＳＷＬＥＤの他端は、グランドに接続されている。
【００６５】
信号入力検出回路１００は、端子７を介して入力される信号を検出した場合（携帯電話機において押しボタン操作が行なわれていない場合）、時間計測回路１０１に信号を送る。この信号を受けると、時間計測回路１０１は、時間の計測を開始する。時間計測の開始後、所定時間経過しても更なる入力信号を信号入力検出回路１００が検出しなかった場合、時間計測回路１０１は、スイッチＳＷＬＥＤに信号を送り、スイッチＷＬＥＤをオフする（切断状態にする）。これにより、ＬＥＤは確実に消灯される。
【００６６】
以上のように、スイッチドキャパシタ型ＬＥＤ駆動電源装置内に上記の信号入力検出回路１００、時間計測回路１０１、及びスイッチＳＷＬＥＤを設けることにより、ユーザの設計負担を軽減すると共に、外付け部品点数や実装面積を削減し、実装工数等におけるコスト低減が可能となる。しかも、押しボタン操作が所定時間行なわれない場合にＬＥＤがスイッチ手段によって確実に消灯され、動作時消費電流が抑えられるので、携帯電話機における電池の消耗を確実に削減できる。
【００６７】
ここで、本実施の形態に係る更に他のスイッチドキャパシタ型ＬＥＤ駆動電源装置の構成例について図３を参照して以下に説明する。なお、図２と同じ機能を有する部材については同じ参照符号を付記し、詳細な説明を省略する。
【００６８】
ここで示すスイッチドキャパシタ型ＬＥＤ駆動電源装置は、図３に示すように、複数のＬＥＤ（ＬＥＤ１・２）を駆動させるものであり、これら複数のＬＥＤを段階的に消灯するためのＳＷＬＥＤ１・ＳＷＬＥＤ２、及びスイッチＯＮ／ＯＦＦ制御回路１０３が設けられている点において図２の構成と異なっている。なお、図３においては、ＬＥＤが２個の場合を例示しているが、本発明はこれに限定されるものではなく、３個以上のＬＥＤを駆動する場合にも適用できる。
【００６９】
図３に示す構成においては、ＬＥＤ１及びＬＥＤ２は、端子９及び端子８を介して、上記スイッチＳＷＬＥＤ１・ＳＷＬＥＤ２の一端にそれぞれ接続されている。上記スイッチＳＷＬＥＤ１・ＳＷＬＥＤ２の他端は、グランドにそれぞれ接続されている。
【００７０】
信号入力検出回路１００は、端子７を介して入力される信号を検出した場合（携帯電話機において押しボタン操作が行なわれていない場合）、時間計測回路１０１に信号を送る。この信号を受けると、時間計測回路１０１は、時間の計測を開始する。
【００７１】
時間計測の開始後、第１の所定時間経過しても更なる入力信号を検出しなかった場合、時間計測回路１０１は、まず第１段階として、スイッチＳＷＬＥＤ１に信号を送り、スイッチＯＮ／ＯＦＦ制御回路１０３は、当該スイッチＷＬＥＤ１をオフする（これにより、ＬＥＤ１が消灯する。）。
【００７２】
それから、時間計測の開始後、第２の所定時間（第１の所定時間よりも長い時間）経過しても更なる入力信号を検出しなかった場合、時間計測回路１０１は、第２段階として、スイッチＳＷＬＥＤ２に信号を送り、スイッチＯＮ／ＯＦＦ制御回路１０３は、当該スイッチＷＬＥＤ２をオフする（これにより、ＬＥＤ２が消灯する。）。このとき、スイッチＳＷＬＥＤ１・ＳＷＬＥＤ２は双方が切断状態にあり、ＬＥＤ１及びＬＥＤ２の双方が消灯している。
【００７３】
このようにして、携帯電話機において、徐々に液晶画面を暗くすることや、背面液晶等の異なる部位に使用される液晶を順次オフさせることができる。
【００７４】
以上のように、スイッチドキャパシタ型ＬＥＤ駆動電源装置内に上記の信号入力検出回路１００、時間計測回路１０１、スイッチＳＷＬＥＤ１・ＳＷＬＥＤ２、及びスイッチＯＮ／ＯＦＦ制御回路１０３を設けることにより、ユーザの設計負担を軽減すると共に、外付け部品点数や実装面積を削減し、実装工数等におけるコスト低減が可能となる。しかも、押しボタン操作が所定時間行なわれない場合にＬＥＤが消灯され、動作時消費電流が抑えられるので、携帯電話機における電池の消耗を確実に削減できる。
【００７５】
加えて、複数のＬＥＤを駆動させる場合に、段階的にスイッチをオフさせることによって、携帯電話機において、徐々に液晶画面を暗くしたり、背面液晶等の異なる部位に使用される液晶を順次オフさせたりすることが可能となる。
【００７６】
ここで、本実施の形態に係る他のスイッチドキャパシタ型ＬＥＤ駆動電源装置の構成例について図４を参照して以下に説明する。なお、図１２及び図１と同じ機能を有する部材については同じ参照符号を付記し、詳細な説明を省略する。
【００７７】
このスイッチドキャパシタ型ＬＥＤ駆動電源装置は、信号入力検出回路１００と、時間計測回路１０１と、基準電圧Ｖｒｅｆを調節する定電流調節回路１０４と、信号入力検出端子８とが更に設けられている点において、図１２で示した従来の定電流出力スイッチドキャパシタ型ＬＥＤ駆動電源装置と異なっている。
【００７８】
昇圧動作は、前述の定電圧出力スイッチドキャパシタと同様であるので、省略する。ノードａ１の電圧と基準電圧Ｖｒｅｆとが等しくなるようにエラーアンプＡＭＰ１でフィードバックをかけ、定電流出力が可能となる。トランジスタＴｒ１から抵抗Ｒｓｅｔに流れる定電流値は、オームの法則により（Ｖｒｅｆ／Ｒｓｅｔ）で設定できる。１：ｎ比のカレントミラーＣＭ１により、抵抗Ｒｓｅｔに流れる電流のｎ倍の定電流（Ｉｏ）を端子３から負荷（ＬＥＤ）に流すことが可能となる。
【００７９】
信号入力検出回路１００は、端子８を介して入力される信号を検出した場合（携帯電話機において押しボタン操作が行なわれていない場合）、時間計測回路１０１に信号を送る。この信号を受けると、時間計測回路１０１は、時間の計測を開始する。
【００８０】
時間計測の開始後、所定時間経過しても更なる入力信号を検出しなかった場合、時間計測回路１０１は、定電流調節回路１０４に信号を送る。この信号を受けると、定電流調節回路１０４は、エラーアンプＡＭＰ１の非反転入力端子に印加される基準電圧Ｖｒｅｆを調節する（つまり、ＬＥＤに流れる電流が小さくなるように基準電圧Ｖｒｅｆを調節する。）。
【００８１】
以上のように、スイッチドキャパシタ型ＬＥＤ駆動電源装置内に上記の信号入力検出回路１００、時間計測回路１０１、及び定電流調節回路１０４を設けることにより、実装面積を大きくすることなく、押しボタン操作が所定時間行なわれない場合にＬＥＤでの消費電流を調節し、携帯電話機における電池の消耗を確実に削減できる。
【００８２】
ここで、上記の定電流調節回路１０４の具体的構成例について図５を参照して以下に説明する。
【００８３】
上記の定電流調節回路１０４は、図５に示すように、基準電圧切換回路であり、上記入力電圧Ｖｉｎが入力されて定電圧を出力する定電圧回路１５０と、分圧抵抗切換スイッチ１５１と、上記の定電圧回路１５０からの定電圧を分圧する分圧抵抗Ｒ１ａ、Ｒ１ｂ、Ｒ２ｂ、及びＲ３ｂとから構成されている。
【００８４】
なお、図５の例では、分圧抵抗切換スイッチ１５１のスイッチの個数が３個の場合を説明しているが、本発明は、これに限定されるものではなく、２個または４個以上の場合にも適用できる。
【００８５】
図５の構成によれば、時間計測回路１０１から信号を受けると、定電流調節回路１０４において、上記信号に基づいて上記分圧抵抗切換スイッチ１５１が内部のスイッチを切り換え、エラーアンプＡＭＰ１の非反転入力端子に印加される基準電圧Ｖｒｅｆを調節する。
【００８６】
より具体的には、定電流調節回路１０４は、時間計測回路１０１からの信号に基づいて、分圧抵抗切換スイッチ１５１によって、分圧抵抗Ｒ１ａと接続される分圧抵抗Ｒ１ｂ、Ｒ２ｂ、又はＲ３ｂが選択される（なお、分圧抵抗Ｒ１ｂ、Ｒ２ｂ、又はＲ３ｂのうち、２個以上が選択されてもよい。）。これに伴って、上記接続点Ｐの電圧が変化するので、エラーアンプＡＭＰ１の非反転入力端子へ入力される基準電圧Ｖｒｅｆを容易に変化させることができる。
【００８７】
ここで、本実施の形態に係る更に他のスイッチドキャパシタ型ＬＥＤ駆動電源装置の構成例について図６を参照して以下に説明する。なお、図４及び図１と同じ機能を有する部材（端子３・７・８を除く。）については同じ参照符号を付記し、ここでは詳細な説明を省略する。
【００８８】
図６に示す構成は、スリープ回路１０２が更に設けられている点において、図４に示す構成と異なっている。
【００８９】
信号入力検出回路１００は、端子８を介して入力される信号を検出した場合（携帯電話機において押しボタン操作が行なわれていない場合）、時間計測回路１０１に信号を送る。この信号を受けると、時間計測回路１０１は、時間の計測を開始する。
【００９０】
時間計測の開始後、第１の所定時間経過しても更なる入力信号を検出しなかった場合、時間計測回路１０１は、定電流調節回路１０４に信号を送る。この信号を受けると、定電流調節回路１０４は、エラーアンプＡＭＰ１の非反転入力端子に印加される基準電圧Ｖｒｅｆを調節する（つまり、ＬＥＤに流れる電流が小さくなる（ゼロでもよい。）ように基準電圧Ｖｒｅｆを調節する。）。
【００９１】
時間計測の開始後、第２の所定時間（第１の所定時間よりも長い時間）経過しても更なる入力信号を検出しなかった場合、上記の時間計測回路１０１は、上記スリープ回路１０２に信号を送り、スイッチドキャパシタ型ＬＥＤ駆動電源装置をスリープ状態にする。これにより、動作時の消費電流を抑えると共に、携帯電話機の電池の消耗を確実に防ぐことが可能となる。
【００９２】
なお、上記の第１の所定時間と上記の第２の所定時間とは、定電流調節回路１０４による電流制限の後、略すぐにスイッチドキャパシタ型ＬＥＤ駆動電源装置をスリープ状態にするように設定されていてもよい。
【００９３】
以上のように、スイッチドキャパシタ型ＬＥＤ駆動電源装置内に上記の信号入力検出回路１００、時間計測回路１０１、スリープ回路１０２、及び定電流調節回路１０４を設けることにより、実装面積を大きくすることなく、押しボタン操作が所定時間行なわれない場合にＬＥＤを消灯させて携帯電話機における電池の消耗を確実に削減できる。
【００９４】
ここで、図７を参照しながら、上記時間計測回路１０１の具体例について説明します。図７は、上記時間計測回路１０１のブロック図である。この例によれば、ＩＣ内部（スイッチドキャパシタ型ＬＥＤ駆動電源装置内部）にクロックカウンタ回路２０２を備え、スイッチドキャパシタの昇圧スイッチング動作を所定の周波数にするために使用される発振器２０１のパルスをカウントすることにより、時間が計測される。
【００９５】
このように、上記時間計測回路１０１に上記クロックカウンタ回路２０２を使用する場合、発振器２０１からのパルスを、前述のスイッチＳ１〜Ｓ４のスイッチング制御信号として使用すると共に、クロックカウンタ回路２０２のカウント信号として使用することによって、発振器２０１が共用されるので、電源制御ＩＣの面積を小さくすることが可能となる。
【００９６】
ここで、図８を参照しながら、上記時間計測回路１０１の他の具体例について説明する。
【００９７】
図８は、他の時間計測回路１０１のブロック図である。この例によれば、上記入力電圧Ｖｉｎが入力されて定電圧を出力する定電圧回路２５０に基づいて定電流源が生成される。上記時間計測回路１０１においては、コンデンサＣｔと抵抗Ｒｃの直列接続と、電圧クランプ用ツェナ−ダイオードＤＺ１と、放電用スイッチＳＷ１とが互いに並列に接続されている。これら並列接続されたものの一端は上記定電流源に接続されると共に、他端はグランドに接続される。
【００９８】
なお、放電用スイッチＳＷ１は、上記の信号入力検出回路１００からの信号に基づいて、オン／オフが制御されるようになっている。
【００９９】
また、上記時間計測回路１０１においては、上記定電圧回路２５０とグランドとの間に分圧抵抗Ｒ１ｃとＲ２ｃが設けられ、分圧抵抗Ｒ１ｃとＲ２ｃの接続点がコンパレータＣＯＭ２の反転入力端子に接続されている。
【０１００】
なお、上記の電圧クランプ用ツェナ−ダイオードＤＺ１のカソードは、コンパレータＣＯＭ２の非反転入力端子に接続されている。また、コンパレータＣＯＭ２の出力信号は上記スリープ回路１０２や、上記の定電流調節回路１０４や、上記スイッチＯＮ／ＯＦＦ制御回路１０３に送られる。
【０１０１】
図８の構成によれば、入力電圧Ｖｉｎが上記定電圧回路２５０に印加されると、上記定電流源から定電流Ｉｃｈｇが容量ＣのコンデンサＣｔへと流れ、コンデンサＣｔはチャージされていく。定電圧回路２５０から分圧抵抗Ｒ１ｃ、Ｒ２ｃにより定電圧Ｖｃが生成され、コンパレータＣＯＭ２の反転入力端子に供給される。また、コンデンサＣｔのチャージ電圧がコンパレータＣＯＭ２の非反転入力端子に供給される。
【０１０２】
所定時間後に上記コンデンサＣｔのチャージ電圧（図８中における点Ａ１の電位）がＶｃ（分圧抵抗Ｒ１ｃとＲ２ｃの接続点の電位）より高くなったとき、上記コンパレータＣＯＭ２の出力信号（たとえば、ハイレベルの信号）が上記スリープ回路１０２や、上記の定電流調節回路１０４や、上記スイッチＯＮ／ＯＦＦ制御回路１０３に供給される。上記所定時間は、（Ｖｃ×Ｃ／Ｉｃｈｇ）で決定される。
【０１０３】
なお、上記コンデンサＣｔのチャージ電圧（図８中における点Ａ１の電位）は、上記電圧クランプ用ツェナ−ダイオードＤＺ１の定格電圧にクランプされており、上記定格電圧より大きくなることはない。
【０１０４】
一方、前記端子８を介して信号を受けると（携帯電話機において押しボタンが操作されると）、上記の信号入力検出回路１００は方形波信号を上記放電用スイッチＳＷ１に供給する。これにより、一定期間（上記方形波信号のオン期間）だけ放電用スイッチＳＷ１がオン状態となり、コンデンサＣｔの電荷が放電用スイッチＳＷ１を介して放電される。これにより、上記時間計測回路１０１がリセットされる。このようにして、時間の計測動作及び不計測動作が行われる。
【０１０５】
ここで、本実施形態の更に他のスイッチドキャパシタ型安定化電源装置について図９を参照しながら、以下に説明する。
【０１０６】
ここで説明するスイッチドキャパシタ型安定化電源装置は、図９に示すように、上記の時間計測回路１０１と上記のスリープ回路１０２との間にフリップフロップ１０５が設けられている点において図１の構成と異なっている。なお、上記フリップフロップ１０５において、リセット端子Ｒには上記の信号入力検出回路１００の出力信号（リセット信号）が供給され、セット端子Ｓには上記時間計測回路１０１の出力信号が供給され、出力端子Ｑからの出力信号が上記スリープ回路１０２に供給されている。
【０１０７】
図９の構成によれば、信号入力検出回路１００は、信号を検出した場合（携帯電話機において押しボタンが操作されていない場合）、時間計測回路１０１に信号を送り、時間計測回路１０１は時間の計測を行なうと共に、フリップフロップ１０５のリセット端子Ｒへもリセット信号を送る。これにより、フリップフロップ１０５の出力端子Ｑからはローレベルの信号がスリープ１０２に供給される。この場合、スリープ動作は行なわれない。
【０１０８】
所定時間経過すると（所定時間、押しボタン操作等が行なわれないと）、フリップフロップ１０５のセット端子Ｓにセット信号が供給される。これに伴って、フリップフロップ１０５の出力端子Ｑからの出力信号（ハイレベルの信号）が上記スリープ回路１０２に供給される。その結果、スリープ回路１０２が動作し、これにより、スイッチドキャパシタ型安定化電源装置はスリープ状態になる。その後、信号入力検出回路１０１が信号を再度検出するまで（押しボタン操作等が再開されるまで）、フリップフロップ１０５の出力端子Ｑからの出力信号が維持される（スリープ状態が維持される）ので、スイッチドキャパシタ型安定化電源装置は動作復帰しない。
【０１０９】
一方、信号入力検出回路１０１が信号を再度検出すると（押しボタン操作等が再開されると）、フリップフロップ１０５と時間計測回路１０１にリセット信号が供給されるので、時間計測回路１０１は初期化されると共に、スリープ回路１０２はオフされ、スイッチドキャパシタ型安定化電源装置が動作復帰する。そして、以上の動作が繰り返される。
【０１１０】
スイッチドキャパシタ型安定化電源装置がスリープ状態にある間は、信号入力検出回路１００と時間計測回路１０１とスリープ回路１０２とフリップフロップ回路１０５以外はオフ状態にあり、その分、消費電流が確実に削減される。
【０１１１】
以上のように、上記の時間計測回路１０１と上記のスリープ回路１０２との間にフリップフロップ１０５を設けることにより、実装面積を大きくすることなく、押しボタン操作が所定時間行なわれない場合、該操作が再開されるまで、スリープ状態が維持されるので、この間、駆動電源装置や液晶がオンすることを確実に回避できる。これにより、携帯電話機における電池の消耗を確実に削減できる。
【０１１２】
本発明の携帯電話機用スイッチドキャパシタ型ＬＥＤ駆動電源装置は、以上のように、スイッチング動作により、第一に、入力される直流電圧からコンデンサへ充電し（以後、充電期間と呼ぶ）、第二に、入力される直流電圧と充電されたコンデンサから出力側コンデンサに供給する動作（以後、昇圧期間と呼ぶ）を繰り返し、入力電圧より高い出力電圧を得る昇圧手段と、上記スイッチング手段を所定の周波数およびデューティー（充電期間−昇圧期間比）でスイッチング動作させるように制御する手段と、この手段によって出力される直流電圧をフィードバックし、基準電圧に到達するとスイッチング動作をオフ（この間、充電期間）させ、オフ後、出力される直流電圧が下がり、所定の設定電圧に到達するとスイッチング動作が復帰（オン）することにより、出力に一定電圧を制御する手段を有した定電圧出力スイッチドキャパシタ型ＬＥＤ駆動電源装置と、上記手段によってＬＥＤのＶＦ電圧以上に昇圧後、一定電流をＬＥＤに流す手段を有する定電流出力スイッチドキャパシタ型ＬＥＤ駆動電源装置との両方のタイプの携帯電話用スイッチドキャパシタ型ＬＥＤ駆動電源装置において、信号入力検出手段と、時間計測手段と、スリープ手段とを有し、信号入力監視手段により携帯電話の操作による信号を検出後、所定時間に信号が検出されなかった場合、自動的にスリープする（オフ状態になる）ことを特徴とする。
【０１１３】
携帯電話機は、使用しない場合（入力操作をしない場合）、電池の消耗を防ぐため、液晶のバックライトを消灯している。そのため、携帯電話の使用を検知し、使用していない場合は液晶バックライト用ＬＥＤをオフさせる回路を設ける必要があった。
【０１１４】
本発明のスイッチドキャパシタ型ＬＥＤ駆動電源装置は、内部に、上記回路を備えることで、ユーザが設計するのを助けるだけでなく、外付け部品点数や、実装面積を削減し、実装工数等におけるコストを低下させることができる。更に駆動電源装置をスリープさせることにより、電源ＩＣ（スイッチドキャパシタ型ＬＥＤ駆動電源装置）の動作時消費電流を抑えることができるため、電池の消耗を軽減できる。
【０１１５】
電源ＩＣ内部に、信号入力検出手段と、時間計測手段と、一つ以上のＬＥＤとそれらのＬＥＤをオン／オフさせるためのスイッチと、スイッチ駆動手段とを有し、信号入力検出手段により携帯電話機の操作による信号を検出後、所定時間に信号入力が検出されなかった場合、ＬＥＤに電流を流すためのスイッチをオフさせる構成でもよい。この場合、ＬＥＤのスイッチを備えており、スイッチをオフすることでも電池の消耗を抑えることができる。
【０１１６】
携帯電話用スイッチドキャパシタ型ＬＥＤ駆動電源装置において、信号入力検出手段と、時間計測手段と、二つ以上のＬＥＤとそれらのＬＥＤをオン／オフさせるためのスイッチと、スイッチ駆動手段とを有し、信号入力検出手段により携帯電話の操作による信号を検出後、所定時間に信号入力が検出されなかった場合、ＬＥＤに電流を流すためのスイッチを所定時間ごとに段階的にオフさせる構成でもよい。この場合、複数のＬＥＤを駆動させるスイッチを備えた場合では段階的にスイッチをオフさせることにより、徐々に液晶画面を暗くすることや、背面液晶等、異なる部位に使用される液晶を順次オフさせることができる。
【０１１７】
スイッチドキャパシタ型ＬＥＤ駆動電源装置において、信号入力検出手段と、時間計測手段と、一つ以上のＬＥＤとそれらのＬＥＤに一定電流を流し、電流調節可能な素子と、上記素子駆動手段とを有し、信号入力監視手段により携帯電話の操作による信号を検出後、所定時間に信号入力が検出されなかった場合、ＬＥＤに流す電流を減少させる構成でもよい。この場合、定電流をＬＥＤに流すことのできる定電流出力型においても電流量を徐々に減らすことにより電池の消耗を抑えることができる。
【０１１８】
上記スイッチドキャパシタ型ＬＥＤ駆動電源装置において、ＬＥＤに流す電流は基準電圧を調整することによって行われることが好ましい。この場合、基準電圧を変化させることで、段階的に電流量を変化させることが容易に行なえる。
【０１１９】
上記のスイッチドキャパシタ型ＬＥＤ駆動電源装置において、ＬＥＤに流す電流を０とし、所定時間経過後、自動的にスリープする構成でもよい。この場合、ＬＥＤに電流を流していない状態においてスイッチドキャパシタ型電源装置自体をスリープさせることにより、動作時消費電流を抑え、更に電池の消耗を削減することができる。
【０１２０】
上記の時間計測回路は、クロックカウンタ回路を有し、時間計測は発振器の発振数（パルス数）をカウントすることにより行われる構成でもよい。この場合、時間計測回路にクロックカウンタ回路を使用する場合、発振器のパルスをスイッチング信号とカウントに共用することで、電源制御ＩＣの面積を小さくすることができる。
【０１２１】
上記の時間計測回路は、定電流回路とコンデンサと電圧監視手段とを有し、時間計測は定電流回路でコンデンサを充電し、その電圧を電圧監視手段により所定電圧まで監視することにより行われる構成でもよい。この場合、定電流源からコンデンサに充電し、その電圧を監視して時間を計測するため、時間はコンデンサの容量により設定可能であり、コンデンサを外付けにすることで、簡単にスリープするまでの時間を設定できる。
【０１２２】
上記スリープ手段を備えたスイッチドキャパシタ型ＬＥＤ駆動電源装置において、一度、スリープすると携帯電話を操作する信号を検出するまで復帰しない構成でもよい。この場合、一度スリープしたスイッチドキャパシタは携帯電話の使用による信号を検出するまでは復帰しなくすることで、使用しない間は電源装置や液晶がオンになることを確実に防止できる。
【０１２３】
なお、本発明は、上述した各具体例にのみ限定されるものではなく、請求項に示した範囲で種々の変更が可能であり、異なる具体例にそれぞれ開示された技術的手段を適宜組み合わせて得られる具体例についても本発明の技術的手段に含まれる。
【０１２４】
【発明の効果】
本発明の携帯電話機用スイッチドキャパシタ型ＬＥＤ駆動電源装置は、以上のように、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、装置本体をスリープ状態にするスリープ手段とを備えている。
【０１２５】
上記スイッチドキャパシタ型ＬＥＤ駆動電源装置においては、その内部にＬＥＤ消灯用の手段を設けた。ＬＥＤ消灯用の手段は、信号入力検出手段と、時間計測手段と、スリープ手段とからなる。
【０１２６】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、装置本体はスリープ手段によってスリープ状態にされる。なお、時間計測手段は、上記操作が行なわれているときには時間の計測を行なわない。
【０１２７】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合にＬＥＤが消灯され、動作時消費電流が抑えられるので、携帯電話機における電池の消耗を確実に削減できるという効果を併せて奏する。
【０１２８】
本発明の他の携帯電話機用スイッチドキャパシタ型ＬＥＤ駆動電源装置は、以上のように、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、上記ＬＥＤをオフ状態にするスイッチ手段とを備えている。
【０１２９】
上記スイッチドキャパシタ型ＬＥＤ駆動電源装置においては、その内部にＬＥＤ消灯用の手段を設けた。ＬＥＤ消灯用の手段は、信号入力検出手段と、時間計測手段と、スイッチ手段とからなる。
【０１３０】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記ＬＥＤがスイッチ手段によってオフ状態にされる。これにより、上記ＬＥＤでの消費電流を確実にゼロにすることができる。なお、時間計測手段は、上記操作が行なわれているときには時間の計測を行なわない。
【０１３１】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合にＬＥＤがスイッチ手段によって確実に消灯され、動作時消費電流が抑えられるので、携帯電話機における電池の消耗を確実に削減できるという効果を併せて奏する。
【０１３２】
本発明の更に他の携帯電話機用スイッチドキャパシタ型ＬＥＤ駆動電源装置は、以上のように、携帯電話機の操作が行なわれているか否かを検出する信号入力検出手段と、上記操作が行なわれていない時間を計測すると共に、上記操作が行なわれているときには時間の計測を行なわない時間計測手段と、上記ＬＥＤごとに設けられ、これらのＬＥＤの断接をそれぞれ行なうスイッチ手段と、上記時間計測手段により所定時間経過したことが計測されると、上記スイッチ手段の断接を制御し、上記複数のＬＥＤを段階的にオフさせるスイッチ制御手段とを備えている。
【０１３３】
上記スイッチドキャパシタ型ＬＥＤ駆動電源装置においては、その内部にＬＥＤ消灯用の手段を設けた。ＬＥＤ消灯用の手段は、信号入力検出手段、時間計測手段、スイッチ手段、及びスイッチ制御手段からなる。
【０１３４】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記スイッチ手段の断接はスイッチ制御手段によって制御される。その結果、上記複数のＬＥＤが段階的にオフされる。なお、時間計測手段は、上記操作が行なわれているときには時間の計測を行なわない。
【０１３５】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、押しボタン操作が所定時間行なわれない場合にＬＥＤがスイッチ手段によって確実に消灯され、動作時消費電流が抑えられるので、携帯電話機における電池の消耗を確実に削減できる。
【０１３６】
加えて、複数のＬＥＤが段階的にオフされることによって、上記携帯電話機において、徐々に液晶画面を暗くすることや、背面液晶等の異なる部位に使用される液晶を順次オフさせることができるという効果を併せて奏する。
【０１３７】
本発明の更に他の携帯電話機用スイッチドキャパシタ型ＬＥＤ駆動電源装置は、以上のように、携帯電話機の操作が行なわれているか否かを検出する信号入力検出手段と、上記操作が行なわれていない時間を計測すると共に、上記操作が行なわれているときには時間の計測を行なわない時間計測手段と、上記時間計測手段により所定時間経過したことが計測されると、上記ＬＥＤに供給する定電流を減少させる定電流調節手段とを備えている。
【０１３８】
上記スイッチドキャパシタ型ＬＥＤ駆動電源装置においては、その内部にＬＥＤ消灯用の手段を設けた。ＬＥＤ消灯用の手段は、信号入力検出手段、時間計測手段、及び定電流調節手段からなる。
【０１３９】
携帯電話機の操作が行なわれているか否かが信号入力検出手段によって検出され、その検出結果が時間計測手段に送られる。時間計測手段は、上記操作が行なわれていない時間を計測し、所定時間経過したことを計測すると、上記ＬＥＤに供給する定電流が定電流調節手段によって減少される。なお、時間計測手段は、上記操作が行なわれているときには時間の計測を行なわない。
【０１４０】
以上のように、上記スイッチドキャパシタ型ＬＥＤ駆動電源装置によれば、その内部に上記ＬＥＤ消灯用の手段を設けたので、ユーザの設計負担を軽減すると共に、外付け部品点数や実装面積を削減し、実装工数等におけるコスト低減が可能となる。しかも、ＬＥＤに供給する定電流が減少され、動作時消費電流が抑えられるので、携帯電話機における電池の消耗を確実に削減できるという効果を併せて奏する。
【０１４１】
上記の携帯電話機用スイッチドキャパシタ型ＬＥＤ駆動電源装置において、基準電圧に応じて変化する定電流を生成し、上記ＬＥＤに供給する定電流として出力する定電流生成手段を更に備え、上記定電流調節手段は上記基準電圧を調整することによって上記定電流を減少させることが好ましい。この場合、基準電圧を調整することによって、段階的に、定電流の量を減少させることが容易に行なえるという効果を併せて奏する。
【０１４２】
上記の携帯電話機用スイッチドキャパシタ型ＬＥＤ駆動電源装置において、所定電圧を複数の電圧に分圧する分圧回路を更に備え、上記定電流調節手段は上記複数の電圧から選択したものを上記基準電圧とすることが好ましい。この場合、分圧回路を設けるという簡単な構成で上記駆動電源装置を実現できるという効果を併せて奏する。
【０１４３】
上記の携帯電話機用スイッチドキャパシタ型ＬＥＤ駆動電源装置において、上記時間計測手段により所定時間経過したことが計測されると、装置本体をスリープ状態にするスリープ手段を更に備えていることが好ましい。この場合、動作時の消費電流を抑えることができると共に、電池の消耗を確実に削減できるという効果を併せて奏する。
【０１４４】
上記の携帯電話機用スイッチドキャパシタ型ＬＥＤ駆動電源装置のいずれにおいても、所定周波数のパルスを生成する発振手段を更に備え、上記昇圧は上記パルスに基づくスイッチング動作にて行なわれると共に、上記時間計測手段は、上記所定周波数のパルスをカウントするパルスカウンタ手段からなることが好ましい。この場合、発振手段によって生成されたパルスが、昇圧の際のスイッチング動作と、パルスカウント手段によるカウント動作との双方に共用されるので、その分、実装面積を小さくできるという効果を併せて奏する。
【０１４５】
また、上記時間計測手段は、定電流源と、上記定電流源により充電される電荷保持手段と、比較基準電圧と上記電荷保持手段の両端の電圧との大小関係を比較し、比較結果を上記時間計測手段の出力信号として出力する比較手段と、上記操作が行なわれているときに、上記電荷保持手段の電荷を放電する放電手段とからなることが好ましい。
【０１４６】
この場合、電荷保持手段の両端の電圧は定電流源による充電に伴って大きくなる。この電圧と比較基準電圧とが比較手段によって比較されることによって、比較基準電圧に対応する所定時間経過したか否かが判断できる。
【０１４７】
上記電荷保持手段の充電は、放電手段による放電によってリセットされるようになっている。放電手段による放電は、携帯電話機に対して操作が行なわれているときに行なわれる。
【０１４８】
上記所定時間は、上記電荷保持手段の充電時間を変えることにより容易に設定可能である。たとえば、電荷保持手段をコンデンサにより実現した場合、コンデンサを外付けにし、その容量を変えることによって、上記所定時間を容易に可変できるという効果を併せて奏する。
【０１４９】
前記の携帯電話機用スイッチドキャパシタ型ＬＥＤ駆動電源装置において、スリープ手段によってスリープ状態になると、携帯電話機の操作が再度行なわれるまで上記スリープ手段にスリープ状態を維持させるスリープ状態維持手段を更に備えていることが好ましい。
【０１５０】
この場合、一度スリープ状態になると、携帯電話機の操作が再度行なわれるまで上記スリープ手段にスリープ状態を維持させるので、上記操作が再度行なわれるまでの間は、電源装置や液晶がオンになることを確実に回避できるという効果を併せて奏する。
【図面の簡単な説明】
【図１】本発明に係る携帯電話機用スイッチドキャパシタ型ＬＥＤ駆動電源装置の構成例を示すブロック図である。
【図２】本発明に係る携帯電話機用スイッチドキャパシタ型ＬＥＤ駆動電源装置の他の構成例を示すブロック図である。
【図３】本発明に係る携帯電話機用スイッチドキャパシタ型ＬＥＤ駆動電源装置の更に他の構成例を示すブロック図である。
【図４】本発明に係る携帯電話機用スイッチドキャパシタ型ＬＥＤ駆動電源装置の更に他の構成例を示すブロック図である。
【図５】上記携帯電話機用スイッチドキャパシタ型ＬＥＤ駆動電源装置の定電流調節回路の具体的構成例を示す回路図である。
【図６】本発明に係る携帯電話機用スイッチドキャパシタ型ＬＥＤ駆動電源装置の更に他の構成例を示すブロック図である。
【図７】上記携帯電話機用スイッチドキャパシタ型ＬＥＤ駆動電源装置における時間計測回路の具体的構成例を示すブロック図である。
【図８】上記携帯電話機用スイッチドキャパシタ型ＬＥＤ駆動電源装置における時間計測回路の他の具体的構成例を示すブロック図である。
【図９】本発明に係る携帯電話機用スイッチドキャパシタ型ＬＥＤ駆動電源装置の更に他の構成例を示すブロック図である。
【図１０】従来の携帯電話機用スイッチドキャパシタ型ＬＥＤ駆動電源装置の構成例を示すブロック図である。
【図１１】図１０の要部の波形を示す波形図である。
【図１２】従来の携帯電話機用スイッチドキャパシタ型ＬＥＤ駆動電源装置の他の構成例を示すブロック図である。
【符号の説明】
１００　信号入力検出回路
１０１　時間計測回路
１０２　スリープ回路
１０４　定電流調節回路
１０５　フリップフロップ（スリープ状態維持手段）
１５０　定電圧回路
１５１　分圧抵抗切換スイッチ
ＳＷ１　放電用スイッチ
【図１】
2004048255.tif 000003
【図２】
2004048255.tif 000004
【図３】
2004048255.tif 000005
【図４】
2004048255.tif 000006
【図５】
2004048255.tif 000007
【図６】
2004048255.tif 000008
【図７】
2004048255.tif 000009
【図８】
2004048255.tif 000010
【図９】
2004048255.tif 000011
【図１０】
2004048255.tif 000012
【図１１】
2004048255.tif 000013
【図１２】
2004048255.tif 000014